【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】  体内に挿入され、体腔内に接触する推力発生螺旋突起部と、
前記推力発生螺旋突起部を回転する回転手段と、
を備えた体腔内挿入部を有する医療装置において、
前記推力発生螺旋突起部を突起高さ０．３ｍｍ以上、３ｍｍ以下の形状に設定したことを特徴とする医療装置。
【請求項２】  前記回転手段が前記推力発生螺旋突起部を回転速度毎秒５回転以下で回転させることを特徴とする請求項１に記載の医療装置。
【請求項３】  体内に挿入され、体腔内に接触する推力発生螺旋突起部と、
前記推力発生螺旋突起部を回転する回転手段と、
を備えた体腔内挿入部を有する医療装置において、
前記回転手段が前記推力発生螺旋突起部を回転速度毎秒５回転以下で回転させることを特徴とする医療装置。
【請求項４】  体内に挿入され、体腔内に接触する推力発生螺旋突起部と、
前記推力発生螺旋突起部を回転する回転手段と、
を備えた体腔内挿入部を有する医療装置において、
前記推力発生螺旋突起部を１０条以下の多条ネジ状に形成したことを特徴とする医療装置。
【請求項５】  体内に挿入され、体腔内に接触する推力発生螺旋突起部と、
前記推力発生螺旋突起部を回転する回転手段と、
を備えた体腔内挿入部を有する医療装置において、
前記回転手段が発生するトルクが設定値を超えないように設定したことを特徴とする医療装置。
【請求項６】  前記回転手段が発生するトルクの設定値を任意に設定可能に構成したことを特徴とする請求項５に記載の医療装置。
【請求項７】  前記設定値が０．０６ｃＮｍ以上で１ｃＮｍを超えないように設定されることを特徴とする請求項５又は６に記載の医療装置。
【請求項８】  前記挿入部がカプセル型医療装置であることを特徴とする請求項７に記載の医療装置。
【請求項９】  体内に挿入され、体腔内に接触する推力発生螺旋突起部と、
前記推力発生螺旋突起部を回転する回転手段と、
を備えた体腔内挿入部を有する医療装置において、
前記推力発生螺旋突起部の端部の立ち上がり或いは立ち下がり角度を４５度以下の角度で滑らかに形成したことを特徴とする医療装置。
【請求項１０】  体内に挿入され、体腔内に接触する推力発生螺旋突起部と、
前記推力発生螺旋突起部を回転する回転手段と、
を備えた体腔内挿入部を有する医療装置において、
前記推力発生螺旋突起部の外径が１８ｍｍ以下であることを特徴とする医療装置。
【請求項１１】  体内に挿入され、体腔内に接触する推力発生螺旋突起部と、
前記推力発生螺旋突起部を回転する回転手段と、
を備えた体腔内挿入部を有する医療装置において、
前記推力発生螺旋突起部に、その螺旋に沿って、螺旋の山から谷までの高さが螺旋高さより浅い溝を少なくとも１本以上形成したことを特徴とする医療装置。
【請求項１２】  体内に挿入され、体腔内に接触する推力発生螺旋突起部と、
前記推力発生螺旋突起部を回転する回転手段と、
を備えた体腔内挿入部を有する医療装置において、
前記推力発生螺旋突起部が挿入部に対して着脱可能であることを特徴とする医療装置。
【請求項１３】  前記推力発生螺旋突起部が弾性ゴムで形成されたことを特徴とする請求項１２に記載の医療装置。
【請求項１４】  体内に挿入され、体腔内に接触する推力発生螺旋突起部と、
前記推力発生螺旋突起部を回転する回転手段と、
を備えた体腔内挿入部を有する医療装置において、
前記推力発生螺旋突起部の突起部の断面形状が略台形であることを特徴とする医療装置。
【請求項１５】  前記回転手段が、
回転磁界を発生する磁界発生手段と、
前記挿入部に設けられた磁石と、を備えることを特徴とする請求項１から１４のいずれか一つに記載の医療装置。
【手続補正２】
【補正対象書類名】明細書
【補正対象項目名】００１５
【補正方法】変更
【補正の内容】
【００１５】
（発明の目的）
本発明は、上述した点に鑑みてなされたもので、体腔内壁に接しながら安定した推進を行うことができる医療装置を提供することを目的とする。  
【手続補正３】
【補正対象書類名】明細書
【補正対象項目名】００１８
【補正方法】変更
【補正の内容】
【００１８】
【課題を解決するための手段】
本発明の一態様としての請求項１に記載の医療装置は、体内に挿入され、体腔内に接触する推力発生螺旋突起部と、前記推力発生螺旋突起部を回転する回転手段と、を備えた体腔内挿入部を有する医療装置において、前記推力発生螺旋突起部を突起高さ０．３ｍｍ以上、３ｍｍ以下の形状に設定したことを特徴とする。
本発明の他の態様としての請求項３に記載の医療装置は、体内に挿入され、体腔内に接触する推力発生螺旋突起部と、前記推力発生螺旋突起部を回転する回転手段と、を備えた体腔内挿入部を有する医療装置において、前記回転手段が前記推力発生螺旋突起部を回転速度毎秒５回転以下で回転させることを特徴とする。
本発明の他の態様としての請求項４に記載の医療装置は、体内に挿入され、体腔内に接触する推力発生螺旋突起部と、前記推力発生螺旋突起部を回転する回転手段と、を備えた体腔内挿入部を有する医療装置において、前記推力発生螺旋突起部を１０条以下の多条ネジ状に形成したことを特徴とする。
本発明の他の態様としての請求項５に記載の医療装置は、体内に挿入され、体腔内に接触する推力発生螺旋突起部と、前記推力発生螺旋突起部を回転する回転手段と、を備えた体腔内挿入部を有する医療装置において、前記回転手段が発生するトルクが設定値を超えないように設定したことを特徴とする。
本発明の他の態様としての請求項９に記載の医療装置は、体内に挿入され、体腔内に接触する推力発生螺旋突起部と、前記推力発生螺旋突起部を回転する回転手段と、を備えた体腔内挿入部を有する医療装置において、前記推力発生螺旋突起部の端部の立ち上がり或いは立ち下がり角度を４５度以下の角度で滑らかに形成したことを特徴とする。
本発明の他の態様としての請求項１０に記載の医療装置は、体内に挿入され、体腔内に接触する推力発生螺旋突起部と、前記推力発生螺旋突起部を回転する回転手段と、を備えた体腔内挿入部を有する医療装置において、前記推力発生螺旋突起部の外径が１８ｍｍ以下であることを特徴とする。
本発明の他の態様としての請求項１１に記載の医療装置は、体内に挿入され、体腔内に接触する推力発生螺旋突起部と、前記推力発生螺旋突起部を回転する回転手段と、を備えた体腔内挿入部を有する医療装置において、前記推力発生螺旋突起部に、その螺旋に沿って、螺旋の山から谷までの高さが螺旋高さより浅い溝を少なくとも１本以上形成したことを特徴とする。
本発明の他の態様としての請求項１２に記載の医療装置は、体内に挿入され、体腔内に接触する推力発生螺旋突起部と、前記推力発生螺旋突起部を回転する回転手段と、を備えた体腔内挿入部を有する医療装置において、前記推力発生螺旋突起部が挿入部に対して着脱可能であることを特徴とする。
本発明の他の態様としての請求項１４に記載の医療装置は、体内に挿入され、体腔内に接触する推力発生螺旋突起部と、前記推力発生螺旋突起部を回転する回転手段と、を備えた体腔内挿入部を有する医療装置において、前記推力発生螺旋突起部の突起部の断面形状が略台形であることを特徴とする。
【手続補正４】
【補正対象書類名】明細書
【補正対象項目名】０１８９
【補正方法】変更
【補正の内容】
【０１８９】
【発明の効果】
以上説明したように本発明によれば、体腔内に挿入される体腔内挿入部を安定して回転させることができ、かつその回転を推力発生部により効率良く推進力に変換して体腔内挿入部を安定してかつ円滑に推進させることができる。